(57)【特許請求の範囲】
【請求項１】
建物の壁面に沿ってコーナー部にまで幅方向に連結した複数の庇板を上記壁面に固定した支持フレーム材に支持させ、上記建物のコーナー部から上記壁面に対して斜めに突設したコーナーフレーム材にコーナー庇板を幅方向に連結して支持させ、壁面に沿う庇板とコーナー庇板とを幅方向に突合せて連結した建物用庇において、
上記コーナー部の近傍に、隣り合う庇板間に調整用クリアランスを形成した調整部を設け、この調整部で庇板の累積誤差の調整をするものであり、
上記調整部は、化粧材で覆われ、
上記化粧材は、調整部で隣り合う一方の庇板にのみ固定され、他方の庇板には固定されていないことを特徴とする建物用庇。
【請求項２】
上記コーナー部が出隅を形成する場合において、上記コーナーフレーム材は上記壁面に固定した吊りアームに吊持されていることを特徴とする、請求項１記載の建物用庇。
【請求項３】
上記庇板を壁面に吊るための吊りアームを、上記調整部よりもコーナー側に設けたことを特徴とする、請求項１又は２記載の建物用庇。
【請求項４】
上記コーナーフレーム材は略水平に突設され、コーナーフレーム材下部には、上記コーナー庇板を支持する支持部が形成され、支持部の上部にはコーナー庇板を固定する固定ボルトの頭部を挿入する挿入溝が形成されていることを特徴とする、請求項１〜３のいずれかに記載の建物用庇。
【発明の詳細な説明】
【技術分野】
【０００１】
本発明は、建物の壁面に沿ってコーナー部にまで複数の庇板を幅方向に連結した建物用庇に関する。
【背景技術】
【０００２】
一般に、この種の建物用庇は、建物の壁面に沿って複数の庇板を幅方向に連結した構成となっているが、庇板をさらに、例えば９０°のコーナー部にまで連結するためには、特許文献1に示されるように、コーナー部から壁面に対して１３５°（出隅の場合）をなすコーナーフレーム材を突設し、このコーナーフレーム材に対応するように、長さと先端角度を切り揃えたコーナー庇板を壁面に沿って、それぞれの基端部が全幅に渡って支持された先端が直角の庇板と連結するようにしている。このとき、庇板材は側端面を互いに突合せ、かつ係合させて庇の幅方向へ連結される構成にすることにより、作業を容易迅速に行うことができる。
【０００３】
これにより、施工性がよく、しかも全ての庇板が幅方向に連結されるので、庇板の連続性の良い外観が得られる。
【先行技術文献】
【特許文献】
【０００４】
【特許文献１】特許第４７６９３２８号公報
【発明の概要】
【発明が解決しようとする課題】
【０００５】
しかしながら、このように、多数の庇板を建物の壁面に沿って板幅方向に、各庇板の側面部を突き合わせて連結していくと、個々の庇板には幅寸法に誤差があるほか、取り付けにも誤差が生じるから、連結するにしたがって寸法誤差や取付誤差が累積していく。庇板材は側端面を互いに突き合わせ、かつ係合させて庇の幅方向へ連結される構成であるが、コーナー庇板は長手の両端部の形状や長さが決まっているから、コーナー部では、壁面に沿う庇板の累積誤差の調整をすることができない。このため、壁面に沿って配設された端部の庇板とコーナー庇の端部の庇板との間に雨漏りの原因となるクリアランスが生じてしまったり、あるいはクリアランスがなくて最後の庇板が取り付けられなかったりする不都合が生じることがある。特に、後者においては、庇板の再割付や役物の製作等を行なわなければならず、手間や時間がかかるという問題がある。
【０００６】
本発明は、上記問題点を解消し、庇板の寸法誤差の調整を可能にし、施工性の良い建物用庇を提供することをその課題とする。
【課題を解決するための手段】
【０００７】
前記課題を解決するため、請求項１に係る発明は、建物の壁面に沿ってコーナー部にまで幅方向に連結した複数の庇板を上記壁面に固定した支持フレーム材に支持させ、上記建物のコーナー部から上記壁面に対して斜めに突設したコーナーフレーム材にコーナー庇板を幅方向に連結して支持させ、壁面に沿う庇板とコーナー庇板とを幅方向に突合せて連結した建物用庇において、上記コーナー部の近傍に、隣り合う庇板間に調整用クリアランスを形成した調整部を設け、この調整部で庇板の累積誤差の調整をするものであり、上記調整部は、化粧材で覆われ、上記化粧材は、調整部で隣り合う一方の庇板にのみ固定され、他方の庇板には固定されていないことを特徴とする。
【０００８】
【０００９】
【００１０】
請求項２に係る発明は、請求項１において、上記コーナー部が出隅を形成する場合において、上記コーナーフレーム材は上記壁面に固定した吊りアームに吊持されていることを特徴とする。
【００１１】
請求項３に係る発明は、請求項１又は２において、上記庇板を壁面に吊るための吊りアームを、上記調整部よりもコーナー側に設けたことを特徴とする。
【００１２】
請求項４に係る発明は、請求項１〜３のいずれかにおいて、上記コーナーフレーム材は略水平に突設され、上記コーナーフレーム材の下部には、上記コーナー庇板を支持する支持部が水平に形成され、支持部の上部にはコーナー庇板を固定する固定ボルトの頭部挿入溝が形成されていることを特徴とする。
【発明の効果】
【００１３】
請求項１に係る発明によれば、コーナー部の近傍に、隣り合う庇板間に調整用クリアランスを形成した調整部を設け、この調整部で庇板の寸法や取り付けの累積誤差を吸収する調整を行うことができるから、庇板の再割付、役物の製作等を行わずに施工することができる。したがって、施工時の手間や時間を大幅に節約することができる。
【００１４】
また、調整部は化粧材で覆われてクリアランスが隠蔽されるので、外観上の違和感をなくし、外観を良好に保持することができる。
【００１５】
また、上記化粧材は調整部で隣り合う一方の庇板のみに固定されているので、施工後も調整部のクリアランスが変化し得るため、庇板の熱膨張による伸縮、強風等による振動、微細な揺れ等を調整部に逃がすことができる。
【００１６】
請求項２に係る発明によれば、コーナー部が出隅を形成する場合において、コーナーフレーム材は壁面に固定した吊りアームに吊持されているので、吊りアームによってコーナーフレーム材を強固に躯体に固定することができる。
【００１７】
請求項３に係る発明によれば、吊りアームは調整部よりもコーナー部側に設けられているので、コーナー部の庇板全体の荷重を、壁面に固定した支持フレーム材と吊りアーム及びコーナー部に設けたコーナーフレーム材の３点で確実に支持することができる。
【００１８】
請求項４に係る発明によれば、略水平に突設したコーナーフレーム材の下部には、コーナー庇板を支持する支持部に形成されているから、コーナー庇板と壁面に沿って設けられた支持フレーム材上の庇板とを連続的に支持させることができる。また、コーナーフレーム材の下側にカバー材等を設ける必要がなく、さらに、支持部の上部にはコーナー庇板を固定する固定ボルトの挿入溝が形成されているから、部品点数を節減することができる。
【図面の簡単な説明】
【００１９】
【図１】本発明に係る建物用庇の平面図
【図２】図１のＡ−Ａ線上の断面図
【図３】図１のＢ−Ｂ線上の断面図
【図４】図１のＣ−Ｃ線上の断面図
【図５】図１のＤ−Ｄ線上の断面図
【図６】図１のＥ−Ｅ線上の断面図
【図７】上記建物用庇の分解斜視図
【図８】コーナー部における庇板の施工手順図
【図９】入隅部における建物用庇の平面図
【図１０】上記建物用庇の分解斜視図
【図１１】別の実施形態に係る建物用庇（出隅部）の平面図
【図１２】別の実施形態に係る建物用庇（入隅部）の平面図
【図１３】図１１のＦ−Ｆ線上の断面図
【発明を実施するための形態】
【００２０】
図１は建物の出隅部における庇の平面図、図２は図１のＡ−Ａ線上の断面図、図３は図１のＢ−Ｂ線上の断面図であり、図４は図１のＣ−Ｃ線上の断面図であり、図５は図１のＤ−Ｄ線上の断面図であり、図６は図１のＥ−Ｅ線上の断面図である。図７は建物用庇の分解斜視図であり、図８はコーナー部における庇板の施工手順図である。
【００２１】
上記建物用庇は、建物の壁面１に沿って複数の庇板２が幅方向に連結されて上記壁面１に固定した支持フレーム材３に支持され、かつ上記壁面１に固定した吊りアーム４に吊持されている。また、建物のコーナー部から壁面１に対してコーナーフレーム材６が斜めに突設され、このコーナーフレーム材６の両側にはコーナー庇板２ａを幅方向に連結して支持されている。そして、壁面１に沿う庇板２とコーナー庇板２ａとは幅方向に突合せて連結されている。
【００２２】
図７に示されるように、庇板２はアルミニウムの中空形材から構成され、両側端は互いに雄雌嵌合可能に形成されている。壁面１に沿う庇板２は細長長方形に形成され、全て等長であるが、コーナー部に配設されるコーナー庇板２ａは、一端が斜めにカットされ、長さもそれぞれコーナーフレーム材６のどこに配置されるかによって異なるように形成されている。
【００２３】
コーナーフレーム材６は、図２に示されるように、下部の水平板状支持部１０とその中央から立ち上げ形成された起立部１１とを断面略逆Ｔ字形に形成したアルミニウム製形材で、起立部１１の上端には方形の中空部１２が形成され、中空部１２の両側には係合縁１３が傾斜形成されている。支持部１０の上部にはコーナー庇板２ａを固定する固定ボルト１４の頭部２２を挿入する挿入溝１５が形成されている。なお、支持部１０は中空部１２よりも外側に突出するように幅広に形成され、これにより中空部１２は、支持部１０上に取り付けられるコーナー庇板２ａの端部を回避する位置になっている。コーナーフレーム材６の先端にはキャップ１６が取り付けられている。
【００２４】
コーナーフレーム材６は図６に示されるように、壁面１に取り付けられた吊りアーム５によって略水平に支持されている。吊りアーム５の上端は直角の取付金具１７を介して隣り合う壁面１に固定されている。吊りアーム５の先端には、図２に示されるように、下向きに開口するコ字形金具１８が取り付けられ、該コ字形金具１８には上向きに開口するコ字形金具２０が嵌合され、互いに回動可能となるように回動軸２１によって連結されている。そして、下部のコ字形金具２０の底面はコーナーフレーム材６の中空部１２の上面に当接され、ネジ７で固定されている。
【００２５】
ところで、コーナー庇板２ａの傾斜端部はコーナーフレーム材６の支持部１０上に支持固定されている。コーナーフレーム材６の支持部１０の挿入溝１５には固定ボルト１４の頭部２２が挿入されており、挿入溝１５から固定ボルト１４が立設されているので、固定ボルト１４をコーナー庇板２ａの傾斜端部に形成されたボルト挿通孔２５（図７参照）に通して支持部１０上に支持し、ナット８で固定する。コーナーフレーム材６の中空部１２の両側係合縁１３にはコーナー庇板２ａの傾斜端部を覆うカバー材２３が取り付けられる。
【００２６】
コーナー庇板２ａを支持部１０上に支持させるとき、コーナーフレーム材６の中空部１２は、支持部１０上に取り付けられるコーナー庇板２ａの端部よりも外側に位置するように形成されているから、図８のように、コーナー庇板２ａはなんの障害もなく容易に支持部１０上に支持させることができる。
【００２７】
コーナー庇板２ａの先端部は、図６に示すように、壁面１の庇板２を連結する共通の連結板２４に連結固定されている。
【００２８】
次に、建物の壁面１に沿って固定されている支持フレーム材３は、壁面１に沿って配設される庇板２の端部を支持する部材で、図３に示されるように、垂直の固定縁２６と水平の支持縁２７とからなり、固定縁２６は壁面１に固定され、支持縁２７上には上向きに開口したボルト１４の頭部３０を挿入する挿入溝１５が形成されている。
【００２９】
壁面１に沿う各庇板２の一端部は、支持フレーム材３の支持縁２７上に支持されている。支持縁２７の挿入溝１５にはボルト２８の頭部３０が挿入されている。そして、各ボルト２８を各庇板２の端部に設けられたボルト挿通孔２５（図７参照）に通してナット４２で固定する。庇板２の他端部には連結板２４が固定されている。連結板２４は、一端が支持フレーム材３に支持された庇板２の他端部に当接され、固定ビス３１を貫通させて庇板２のビスホールに螺着させることにより固定されている。なお、連結板２４の前部には断面がＶ字形の化粧縁３２が固定されている。また、支持フレーム３には化粧カバー１９が取り付けられている。
【００３０】
支持フレーム材３と連結板２４とによって連結された庇板２は、図３に示されるように吊りアーム４によって壁面１に支持されている。吊りアーム４の上端は取付金具３３を介して壁面１に固定されている。吊りアーム４の先端には、図５に示すように、コーナーフレーム材６の吊りアーム５と同様に、回動軸２１により回動可能に連結された2つのコ字形金具１８、２０が取り付けられ、上向きに開口するコ字形金具２０の底面は庇板２の上面に当接され、ネジ７で固定されている。
【００３１】
ところで、図１及び図４に示されるように、壁面１に沿う庇板２のうちコーナー部の近傍に配設されたものにおいて、隣り合う庇板２間に調整用クリアランス３４を形成した調整部３５が設けられている。調整部３５は、庇板２を連結した際に、庇板２の寸法誤差や取付誤差によって生じた累積誤差を吸収するためのもので、クリアランス３４の幅は３０ｍｍ〜５０ｍｍ程度が好ましい。調整部３５の上下部には、クリアランス３４が露出しないように、化粧材３６、３７が設けられている。下部化粧材３７には取付縁３８が起立形成され、この取付縁３８を介して隣り合う一方の庇板２に固定されている。上部化粧材３６は別個のＺ字形取付片３９を介して上記一方の庇板２に固定されている。なお、下部化粧材３７の両側縁４０は斜めに立ち上げられ、全体として樋機能を有するように形成されている。上部化粧材３６の両側端と庇板２との間にはコーキング処理が施されている。また、クリアランス３４の両側の庇板２は、左右の端部の庇板を使用する。
【００３２】
なお、調整部３５はコーナー部の近傍にあればよく、図示された位置に限定されない。また、調整部３５の数も一壁面１に複数個あってもよい。さらに、吊りアーム４は調整部３５よりもコーナー側に設けられている。
【００３３】
また、連結板２４とＶ字形の化粧材３２は、調整部３５の位置にジョイント部を設けるのが好ましい。
【００３４】
上記構成の庇の取付作業は、壁躯体にコーナーフレーム材６と支持フレーム材３とを取り付けておき、次の手順で行う。（１）壁面１に沿う庇板２を調整部３５まで取り付け固定する。（２）残りの庇板２、２ａを全て仮止めする（３）仮止めした庇板２、２ａを本固定する。
【００３５】
上記作業手順によれば、（１）の作業で累積誤差が生じるが、これは調整部３５のクリアランス３４に吸収させることができる。したがって、最初から本固定することができる。また、調整部３５にクリアランス３４による余裕があるので、残りの庇板２を仮止めすることが可能である。さらに、本固定時の庇板２の幅方向の寸法誤差の累積も調整部３５で吸収させることができる。したがって、一度に施工することができ、再割付をしたり、わざわざ役物庇板２を製作することなく、規格の庇板２材で施工することができる。
【００３６】
ところで、上述の庇は出隅部に設置したものであるが、建物の入隅部に設置する場合は、図９及び図１０に示されるように、コーナーフレーム材６の壁側の端部は、その両側に配された取付金具４１を介して壁面１に固定され、先端は入隅部の角度に合せてカットされ、庇板２の連結板２４の突合せ端部に支持されている。これにより、コーナーフレーム材６に吊りフレームを設ける必要はない。コーナー庇板２ａは、壁面１側の端部は直角にカットされ、壁面１から遠い側の端部は斜めにカットされている。その他の基本的構成は出隅部の場合とほぼ同じであり、同じ符号は同じ部材を示している。
【００３７】
この場合の庇板２の取付作業も、出隅部の場合と同じ手順によればよい。
【００３８】
上述の建物用庇によれば、コーナー部の近傍に、隣り合う庇板２間に調整用クリアランス３４を形成した調整部３５を設け、この調整部３５で庇板２の累積誤差を吸収する調整を行うことができるから、庇板２又は２ａの再割付、役物の製作等を行わずに施工することができる。したがって、施工時の手間や時間を大幅に節約することができる。
【００３９】
また、調整部３５は化粧材３６、３７で覆われてクリアランス３４が隠蔽されるので、外観上の違和感をなくし、外観を良好に保持することができる。
【００４０】
さらに、化粧材３６、３７は調整部３５で隣り合う一方の庇板２に固定されているので、施工後も調整部３５のクリアランス３４が変化し得るため、施工後の庇板２の熱膨張による伸縮、強風等による振動、微細な揺れ等を調整部３５に逃がすことができる。
【００４１】
また、調整部３５よりもコーナー部側の荷重とその反対側の荷重の支持は、調整部３５のクリアランス３４によって分断されてしまうので、吊りアーム４は、調整部３５よりもコーナー部側に設けるのが好ましい。これにより、調整部３５よりもコーナー部側の庇板２全体の荷重は、壁面１に固定した支持フレーム材３と吊りアーム４及びコーナー部に設けたコーナーフレーム材６の３点で安定に支持することができる。
【００４２】
さらに、コーナーフレーム材６の下部には、コーナー庇板２ａを支持する支持部１０が水平に形成されているから、コーナー庇板２ａと壁面１に沿って設けられた支持フレーム材３上の庇板２とを連続的に支持させることができる。また、コーナーフレーム材６の下側にカバー材等を設ける必要がなく、さらに、支持部１０の上部にはコーナー庇板２ａを固定する固定ボルト１４の頭部２２を挿入する挿入溝１５が形成されているから、部品点数を節減することができる。
【００４３】
なお、上記した実施形態においては、庇板２を壁面１に吊るための吊りアーム４を調整部３５よりもコーナー側に設けた態様について説明したが、これに限らず、図１１及び図１２に示すように、庇板２を壁面１に吊るための吊りアーム４をコーナー側に設けないようにしてもよい。このように吊りアーム４をコーナー側に設けないようにした場合、調整部３５よりもコーナー部側の庇板２全体の荷重を３点で安定的に支持することはできなくなるが、庇の出巾寸法等により耐風圧強度上問題がなければ、庇板２を支持する吊りアーム４を設けなくてもよい。
【００４４】
また、上記した実施形態においては、アングル形状の補強材を使用している（図２参照）が、これに限らず、図１３に示すように、コ字形状の補強材４２を使用してもよい。このような形状の補強材４２を使用することで、断面積が増え、曲げモーメントなどに対する強度を向上させることができる。
【符号の説明】
【００４５】
１  壁面
２  庇板
２ａ  コーナー庇板
３  支持フレーム材
４、５  吊りアーム
６  コーナーフレーム材
１０  支持部
１５  挿入溝
３４  クリアランス
３５  調整部
【図１】
0006029365.tif 000002
【図２】
0006029365.tif 000003
【図３】
0006029365.tif 000004
【図４】
0006029365.tif 000005
【図５】
0006029365.tif 000006
【図６】
0006029365.tif 000007
【図７】
0006029365.tif 000008
【図８】
0006029365.tif 000009
【図９】
0006029365.tif 000010
【図１０】
0006029365.tif 000011
【図１１】
0006029365.tif 000012
【図１２】
0006029365.tif 000013
【図１３】
0006029365.tif 000014